(57)【特許請求の範囲】
【請求項１】
コンテンツ再生装置であって、
音声及び映像を含むコンテンツを再生する再生手段と、
前記コンテンツの前記音声の再生が不要な期間及び前記映像の再生が不要な期間を示す再生不要期間情報と、前記コンテンツの再生位置とに基づいて、前記再生手段の電力を制御する電力制御手段と、
前記再生不要期間情報を含む再生履歴情報を外部装置との間で送受信する通信手段と、
を有し、
前記再生履歴情報は、前記コンテンツの利用目的を示す情報、前記コンテンツ再生装置の位置を示す情報、及び前記コンテンツの表示言語を示す情報のうちの少なくとも一つの情報を含み、
前記コンテンツ再生装置又は前記外部装置は、
予め記憶した複数の再生履歴情報と前記少なくとも一つの情報とに基づいて、前記コンテンツの再生に用いる再生不要期間情報を決定する決定手段を有する、コンテンツ再生装置。
【請求項２】
前記再生不要期間情報を予め記憶した記憶手段又は前記再生不要期間情報を予め記憶した外部装置から前記再生不要期間情報を取得する取得手段を有する請求項１に記載のコンテンツ再生装置。
【請求項３】
前記コンテンツの再生時に、前記コンテンツの前記再生不要期間情報を作成する作成手段を有する請求項１又は２に記載のコンテンツ再生装置。
【請求項４】
前記作成手段は、
前記コンテンツに含まれる音声データが無音に相当するデータである期間を前記音声の再生不要期間とし、
前記コンテンツに含まれる映像データが黒画面に相当するデータである期間を前記映像の再生不要期間とすることを特徴とする請求項３に記載のコンテンツ再生装置。
【請求項５】
前記再生手段は、
前記コンテンツに含まれる音声を再生する音声再生手段を含み、
前記電力制御手段は、
前記音声の再生が不要な期間の開始に応じて、前記音声再生手段を前記音声の再生時よりも消費電力が少ない省電力状態に移行させ、
前記音声の再生が不要な期間の終了に応じて、前記音声再生手段を前記音声の再生が可能な通常状態に移行させる請求項１乃至４のいずれか一項に記載のコンテンツ再生装置。
【請求項６】
前記再生手段は、
前記コンテンツに含まれる映像を再生する映像再生手段を含み、
前記電力制御手段は、
前記映像の再生が不要な期間の開始に応じて、前記映像再生手段を前記映像の再生時よりも消費電力が少ない省電力状態に移行させ、
前記映像の再生が不要な期間の終了に応じて、前記映像再生手段を前記映像の再生が可能な通常状態に移行させる請求項１乃至５のいずれか一項に記載のコンテンツ再生装置。
【請求項７】
前記コンテンツの再生時の音量情報を取得する音量情報取得手段を有し、
前記再生履歴情報は、前記取得した音量情報に基づく再生不要期間情報を含む請求項１乃至６のいずれか一項に記載のコンテンツ再生装置。
【請求項８】
コンテンツ再生装置と外部装置とを含むコンテンツ再生システムであって、
前記コンテンツ再生装置は、
音声及び映像を含むコンテンツを再生する再生手段と、
前記コンテンツの前記音声の再生が不要な期間及び前記映像の再生が不要な期間を示す再生不要期間情報を予め記憶した記憶手段と、
前記予め記憶された再生不要期間情報と、前記コンテンツの再生位置とに基づいて、前記再生手段の電力を制御する電力制御手段と、
前記再生不要期間情報を含む再生履歴情報を前記外部装置との間で送受信する通信手段と、
を有し、
前記再生履歴情報は、前記コンテンツの利用目的を示す情報、前記コンテンツ再生装置の位置を示す情報、及び前記コンテンツの表示言語を示す情報のうちの少なくとも一つの情報を含み、
前記コンテンツ再生装置又は前記外部装置は、
予め記憶した複数の再生履歴情報と前記少なくとも一つの情報とに基づいて、前記コンテンツの再生に用いる再生不要期間情報を決定する決定手段を有する、コンテンツ再生システム。
【発明の詳細な説明】
【技術分野】
【０００１】
本発明は、コンテンツ再生装置、及びコンテンツ再生システムに関する。
【背景技術】
【０００２】
一般的な動画は、視覚的な情報を示す映像と、聴覚的な情報を示す音声とにより構成されている。このような動画を再生するコンテンツ再生装置は、例えば、動画を映像と音声とに分離してから、それぞれをデコードして出力する。尚、デコード以降の処理は、パフォーマンス等の観点からハードウェアで実現されることが多い。
【０００３】
一方、近年のコンテンツ再生装置においては、電力の削減が求められる環境にある。関連技術として、受信したコンテンツに画像信号が含まれていない場合、画像表示部を省電力モードに設定し、コンテンツに音声信号が含まれていない場合、音声出力部を省電力モードに設定する画像表示装置が知られている（例えば、特許文献１参照）。
【発明の概要】
【発明が解決しようとする課題】
【０００４】
特許文献１に開示された技術では、コンテンツが音声信号、映像信号を含むか否かに応じて、電力制御が行われていたため、例えば、音声信号及び映像信号を含むコンテンツに、無音部分、黒画面等が多く含まれる場合、十分な省電力制御を行うことができなかった。このように、音声及び映像を含むコンテンツを再生するコンテンツ再生装置において、コンテンツの内容等に応じて、適応的に省電力制御を行うことには困難を伴っていた。
【０００５】
本発明の実施の形態は、上記問題点に鑑みてなされたものであって、音声及び映像を含むコンテンツを再生するコンテンツ再生装置において、コンテンツの内容に応じて適応的に省電力制御を行うことを容易にするコンテンツ再生装置を提供することを目的とする。
【課題を解決するための手段】
【０００６】
上記課題を解決するため、本発明の一実施形態に係るコンテンツ再生装置は、音声及び映像を含むコンテンツを再生する再生手段と、前記音声の再生が不要な期間及び前記映像の再生が不要な期間を示す再生不要期間情報と前記コンテンツの再生位置とに基づいて前記再生手段の電力を制御する電力制御手段と、前記再生不要期間情報を含む再生履歴情報を外部装置との間で送受信する通信手段と、を有し、前記再生履歴情報は、前記コンテンツの利用目的を示す情報、前記コンテンツ再生装置の位置を示す情報、及び前記コンテンツの表示言語を示す情報のうちの少なくとも一つの情報を含み、前記コンテンツ再生装置又は前記外部装置は、予め記憶した複数の再生履歴情報と前記少なくとも一つの情報とに基づいて、前記コンテンツの再生に用いる再生不要期間情報を決定する決定手段を有する。
【発明の効果】
【０００７】
本発明の実施の形態によれば、音声及び映像を含むコンテンツを再生するコンテンツ再生装置において、コンテンツの内容等に応じて適応的に省電力制御を行うことを容易にするコンテンツ再生装置を提供することができる。
【図面の簡単な説明】
【０００８】
【図１】一実施形態に係るコンテンツ再生装置の省電力動作の概要を説明するための図である。
【図２】一実施形態に係るコンテンツ再生装置のブロック図の例を示すである。
【図３】第１の実施形態に係るコンテンツ再生装置の機能構成図である。
【図４】第１の実施形態に係るコンテンツ再生処理の流れを示すフローチャートである。
【図５】第１の実施形態に係るリピート再生時の処理の流れを示すフローチャートである。
【図６】第１の実施形態に係る再生不要期間を説明するための図である。
【図７】第２の実施形態に係るコンテンツ再生システムの機能構成図である。
【図８】第２の実施形態に係るコンテンツ再生システムの処理の一例を示すフローチャートである。
【図９】第２の実施形態に係る外部装置に記憶される再生履歴情報の例を示す図である。
【発明を実施するための形態】
【０００９】
以下に、本発明の実施の形態について、添付の図面を参照して説明する。
【００１０】
＜概要＞
本実施形態に係るコンテンツ再生装置は、音声及び映像を含むコンテンツを再生する際に、音声の再生が不要な期間及び映像の再生が不要な期間を示す再生不要期間情報と、コンテンツの再生位置とに応じて省電力制御を行う。
【００１１】
ここで、コンテンツの再生位置とは、例えば、コンテンツの開始時間に対する現在の再生位置の時間等で表される。例えば、コンテンツの開始時間を「０ｍ０ｓ（０分０秒）」とした場合、コンテンツの開始時間から１分後の再生位置は、「１ｍ０ｓ（１分０秒）」等として表される。或いは、コンテンツの再生位置は、コンテンツの再生開始時点からのフレーム数等、時間以外の情報で表されるものであっても良い。また、基準となる時間は、例えば、コンテンツの終了時間等、コンテンツの開始時間以外の時点であっても良い。
【００１２】
図１は一実施形態に係るコンテンツ再生装置の省電力動作の概要を説明するための図である。図１は、コンテンツに含まれる音声信号及び映像信号を示しており、音声信号及び映像信号は、それぞれ再生不要期間を有している。図１の例では、音声信号が「無音」に相当するデータである場合を音声の再生不要期間とし、映像信号が「黒画面」の場合を映像の再生不要期間としている。尚、「無音」及び「黒画面」は再生不要期間の一例である。本実施形態に係る再生不要期間情報は、この音声の再生不要期間を示す時間Ｔ１〜Ｔ３、Ｔ４〜Ｔ５、及び映像の再生不要期間を示す時間Ｔ２〜Ｔ６等の情報を含む。
【００１３】
本実施形態に係るコンテンツ再生装置は、予め取得した再生不要期間情報と、コンテンツの再生位置（時間）とに基づいて、コンテンツ再生装置の音声の再生に係るブロック、映像の再生に係るブロック等の省電力制御を行う。例えば、コンテンツ再生装置は、コンテンツの再生位置が図１の時間Ｔ１となったとき、音声信号の再生に係るブロックを省電力状態に移行させ、コンテンツの再生位置が時間Ｔ３となったとき、音声信号の再生に係るブロックの省電力状態を解除する。同様にコンテンツ再生装置は、コンテンツの再生位置が図１の時間Ｔ２となったとき、映像信号の再生に係るブロックを省電力状態に移行させ、コンテンツの再生位置が時間Ｔ６となったとき、映像信号の再生に係るブロックの省電力状態を解除する。
【００１４】
好ましくは、コンテンツ再生装置は、コンテンツの再生時に再生中のコンテンツの再生不要期間情報を生成する手段を有し、生成した再生不要期間情報を、例えば、外部サーバ、内部記憶装置等の記憶手段に記憶する。これにより、２回目以降のコンテンツの再生時には、予め記憶した再生不要期間情報に基づいて、適応的に省電力制御が行えるようになる。
【００１５】
＜コンテンツ再生装置の構成＞
図２は、一実施形態に係るコンテンツ再生装置のブロック図の例を示す図である。コンテンツ再生装置２００は、例えば、通信Ｉ／Ｆ（Interface）２０１、コンテンツ再生部２０２、音量調整部２０９、再生不要期間記録部２１０、電力供給部２１１、電力制御部２１２、クロック供給部２１３、再生不要期間設定部２１４、記憶部２１５等を有する。
【００１６】
通信Ｉ／Ｆ２０１は、コンテンツ再生装置２００を、例えば、インターネット、ＬＡＮ(Local Area Network)等のネットワークに接続し、ネットワークに接続されたサーバ装置等の外部装置とのデータの送受信を行う。尚、通信Ｉ／Ｆ２０１は、ネットワークを介さずに接続されたＵＳＢメモリ等の記憶媒体（外部装置）との通信（データの読み出し、書き込み等）を行うものであっても良い。
【００１７】
コンテンツ再生部２０２は、音声、映像等を含むコンテンツを再生する。コンテンツ再生部２０２は、デマルチプレクサ２０３、音声デコーダ２０４、映像デコーダ２０５、映像音声同期部２０６、音声出力Ｉ／Ｆ２０７、映像出力Ｉ／Ｆ２０８等を含む。
【００１８】
デマルチプレクサ２０３は、入力されたコンテンツを音声信号と映像信号とに分離して出力する。例えば、デマルチプレクサ２０３は、パケット化されたコンテンツのヘッダに含まれる識別情報等に基づいて、各パケットが音声データであるか映像データであるかを識別することができる。デマルチプレクサ２０３は、一般的にはソフトウェア処理等により実現される。
【００１９】
音声デコーダ２０４は、入力された音声データをデコード（復号化）して出力する。音声デコーダ２０４は、ハードウェア化されていないＳｏＣ（System on Chip）も多いが、本実施形態ではハードウェア化されているものとする。
【００２０】
映像デコーダ２０５は、入力された映像データをデコード（復号化）して出力する。映像デコーダ２０５は、ハードウェア化されていないＳｏＣも多いが、本実施形態ではハードウェア化されているものとする。
【００２１】
映像音声同期部２０６は、入力された音声と映像の同期を取って出力する。音声出力Ｉ／Ｆ２０７は、スピーカ等の音声出力装置に合わせたフォーマットで音声信号を出力する。映像出力Ｉ／Ｆ２０８は、ディスプレイ等の映像出力装置の入力フォーマットに合わせて映像信号を出力する。
【００２２】
音量調整部２０９は、再生する音声の音量を、例えば、ユーザの操作等に応じて変更する。
【００２３】
再生不要期間記録部２１０は、コンテンツ再生時に、音声の再生が不要な期間及び映像の再生が不要な期間を取得し、記憶部２１５に再生不要期間情報２１６として記録する。
【００２４】
電力供給部２１１は、電力制御部２１２からの指示に基づいて、例えば、コンテンツ再生部２０２の各ハードウェアブロックに電力を供給する。電力供給部２１１は、ハードウェアブロック毎に電力供給のオン／オフや、省電力制御等が可能であるものとする。
【００２５】
電力制御部２１２は、コンテンツ再生部２０２が再生しているコンテンツの再生位置と、再生不要期間設定部２１４が取得した再生不要期間情報とに基づいて、電力供給部２１１による電力供給等を制御する。クロック供給部２１３は、コンテンツ再生部２０２等にクロック信号を供給する。
【００２６】
再生不要期間設定部２１４は、例えば、外部装置２１９や、記憶部２１５等に予め記憶された、コンテンツの再生不要期間情報２１６を取得し、電力制御部２１２に設定する。
【００２７】
記憶部２１５は、再生不要期間記録部２１０が生成した再生不要期間情報２１６や、再生不要期間情報を含む再生履歴情報２１７を記憶する。また、記憶部２１５は、再生するコンテンツ等を記憶するものであっても良い。記憶部２１５は、例えば、ＲＡＭ（Random Access Memory）や、Ｆｌａｓｈ ＲＯＭ（Read Only Memory）等に含まれる。
【００２８】
上記構成により、電力制御部２１２は、再生不要期間設定部２１４が取得した再生不要期間情報２１６と、コンテンツ再生部２０２からのコンテンツの再生位置を示す情報に基づいて、電力供給部２１１を制御する。例えば、電力制御部２１２は、音声の再生不要期間（例えば、図１の時間Ｔ１〜Ｔ３、Ｔ４〜Ｔ５）、音声デコーダ２０４、音声出力Ｉ／Ｆ２０７等、音声の再生に係るブロックへの電力供給を停止、又は低減させる。同様に、電力制御部２１２は、映像の再生不要期間（例えば、図１の時間Ｔ２〜Ｔ６）、映像デコーダ２０５、映像出力Ｉ／Ｆ２０８等、映像の再生に係るブロックへの電力供給を停止、又は低減させる。
【００２９】
尚、図２の構成はあくまで一例であって、本発明の範囲を限定するものではない。例えば、電力制御部２１２による音声の再生に係るブロック、及び映像の再生に係るブロックへの省電力制御は、必ずしも電力供給部２１１を介して行うものでなくても良い。例えば、電力制御部２１２は、コンテンツ再生部２０２の設定用のレジスタ値等を書き換えることにより、音声の再生に係るブロック、映像の再生に係るブロック等の動作モード等を変更し、省電力状態への移行、解除等の制御を行うもの等であっても良い。或いは、電力制御部２１２は、クロック供給部２１３からコンテンツ再生部の各部へのクロック供給を制御すること等により、消費電流を削減するもの等であっても良い。
【００３０】
要するに、電力制御部２１２による音声の再生に係るブロック、及び映像の再生に係るブロックの省電力制御は、コンテンツ再生時よりも消費電力が実質的に低減されるように設定できるものであれば、他の方法であっても良い。
【００３１】
＜機能構成＞
［第１の実施形態］
図３は、第１の実施形態に係るコンテンツ再生装置の機能構成図である。コンテンツ再生装置２００は、再生手段３０１、電力制御手段３０２、作成手段３０３、記憶手段３０４、取得手段３０５、通信手段３０６等を有する。
【００３２】
再生手段３０１は、音声及び映像を含むコンテンツを再生する手段であり、例えば、図２のコンテンツ再生部２０２等によって実現される。再生手段３０１は、音声再生手段３０７、映像再生手段３０８等を含む。
【００３３】
音声再生手段３０７は、再生手段３０１が再生するコンテンツに含まれる音声を再生する。音声再生手段３０７は、例えば、図２の音声デコーダ２０４、音声出力Ｉ／Ｆ２０７、音量調整部２０９等により実現される。
【００３４】
映像再生手段３０８は、再生手段３０１が再生するコンテンツに含まれる映像を再生する。映像再生手段３０８は、例えば、図２の映像デコーダ２０５、映像出力Ｉ／Ｆ２０８等により実現される。
【００３５】
電力制御手段３０２は、再生手段３０１が再生するコンテンツの音声の再生が不要な期間及び映像の再生が不要な期間を示す再生不要期間情報と、該コンテンツの再生位置とに基づいて、再生手段３０１の電力を制御する。電力制御手段３０２は、例えば、図２の電力供給部２１１、電力制御部２１２等によって実現される。
【００３６】
電力制御手段３０２は、再生手段３０１が再生するコンテンツの音声の再生が不要な期間の開始（例えば、図１の時間Ｔ１又はＴ４）に応じて、音声再生手段３０７を音声の再生時よりも消費電力が少ない省電力状態に移行させる。また、電力制御手段３０２は、再生手段３０１が再生するコンテンツの音声の再生が不要な期間の終了（例えば、図１の時間Ｔ３又はＴ５）に応じて、音声再生手段３０７を音声の再生が可能な通常状態に移行させる。
【００３７】
さらに、電力制御手段３０２は、再生手段３０１が再生するコンテンツの映像の再生が不要な期間の開始（例えば、図１の時間Ｔ２）に応じて、映像再生手段３０８を映像の再生時よりも消費電力が少ない省電力状態に移行させる。また、電力制御手段３０２は、再生手段３０１が再生するコンテンツの映像の再生が不要な期間の終了（例えば、図１の時間Ｔ６）に応じて、映像再生手段３０８を映像の再生が可能な通常状態に移行させる。
【００３８】
作成手段３０３は、再生手段３０１がコンテンツを再生する際に、再生しているコンテンツの再生不要期間情報を作成する。作成手段３０３は、例えば、図２の再生不要期間記録部２１０によって実現される。作成手段３０３は、例えば、再生中のコンテンツの音声データが「無音」に相当するデータである場合、音声の再生不要期間とし、再生中のコンテンツの映像データが「黒画面」に相当するデータである場合、映像の再生不要期間として再生不要期間情報を生成する。
【００３９】
記憶手段３０４は、作成手段３０３が作成した再生不要期間情報等を記憶する。記憶手段３０４は、例えば、図２の記憶部２１５等により実現される。尚、記憶手段３０４は、再生手段３０１が再生するコンテンツや、外部装置２１９から取得した再生不要期間情報を含む履歴情報等も記憶するものであっても良い。
【００４０】
取得手段３０５は、記憶手段３０４、外部装置２１９等に予め記憶された、再生手段３０１が再生するコンテンツの再生不要期間情報を取得する。取得手段３０５は、例えば、図２の再生不要期間設定部２１４等によって実現される。
【００４１】
通信手段３０６は、外部装置２１９との間で、例えば、再生手段３０１が再生するコンテンツ、該コンテンツの再生不要期間情報、再生履歴情報等の情報を送受信する。通信手段３０６は、例えば、図２の通信Ｉ／Ｆ２０１とその制御プログラム等によって実現される。
【００４２】
＜処理の流れ＞
図４は、第１の実施形態に係るコンテンツ再生処理の流れを示すフローチャートである。
【００４３】
ステップＳ４０１において、コンテンツ再生装置２００の電力制御手段３０２は、例えば、ユーザのコンテンツ再生操作、電源投入操作等に応じて、再生手段３０１等コンテンツの再生に必要なブロック等に電力の供給を開始する。
【００４４】
ステップＳ４０２において、コンテンツ再生装置２００は、再生手段３０１が再生するコンテンツデータを入力する。例えば、コンテンツ再生装置２００は、通信手段３０６によって外部装置２１９からコンテンツデータを取得し、記憶手段３０４に記憶する。
【００４５】
ステップＳ４０３において、コンテンツ再生装置２００の再生手段３０１は、記憶手段３０４に記憶されたコンテンツデータに基づいてコンテンツの再生処理を行う。このとき、取得手段３０５は、外部装置２１９が再生するコンテンツデータに対応する再生不要期間情報を有していれば取得する。尚、ここでは外部装置２１９が再生するコンテンツに対応する再生不要期間情報を有していない、初回のコンテンツ再生である場合について説明する。
【００４６】
尚、コンテンツデータや、再生不要期間情報は、必ずしも外部装置２１９から取得する必要はなく、記憶手段３０４が記憶するコンテンツデータや、再生不要期間情報等を用いてコンテンツの再生を行うものであっても良い。作成手段３０３は、コンテンツの再生中に再生不要期間情報を生成し、記憶手段３０４に記憶する。
【００４７】
ステップＳ４０４において、コンテンツ再生装置２００は、例えば、コンテンツの再生が終わった後、記憶手段３０４に記憶したコンテンツの再生不要期間情報を含む再生履歴情報を外部装置２１９に送信する。尚、再生履歴情報を外部装置２１９に送信するタイミングは、コンテンツ再生装置２００の電源を切断する前や、別のコンテンツを再生する前等であっても良い。また、コンテンツ再生装置２００は、必ずしも再生履歴情報を外部装置に送信せず、記憶手段３０４等に蓄積するもの等であっても良い。
【００４８】
図５は、第１の実施形態に係るリピート再生時の処理の流れを示すフローチャートである。リピート再生とは、例えば、図４の処理により少なくとも一度再生処理が行われたコンテンツを再度再生する場合の処理を示す。つまり、リピート再生は、再生不要期間情報が予め記憶されたコンテンツを再生する処理である。
【００４９】
処理を開始すると、コンテンツ再生装置２００は、外部装置２１９又は記憶手段３０４から再生するコンテンツ、及び再生するコンテンツに対応する再生不要期間情報を取得する（ステップＳ５０１）。再生手段３０１は、取得したコンテンツを映像と音声に分離する（ステップＳ５０２）。
【００５０】
続いて、電力制御手段３０２は、再生手段３０１から取得したコンテンツの再生位置と、取得された再生不要期間情報とに基づいて、映像と、音声のそれぞれについて、再生不要期間であるか否かを判断する（ステップＳ５０３、Ｓ５０４）。
【００５１】
ステップＳ５０３において、コンテンツの再生位置が映像の再生不要期間である場合、映像再生手段３０８の省電力制御を行い（ステップＳ５０５）、ステップＳ５１５へ移行する。ここで、省電力制御とは、映像再生手段３０８が映像を再生できる通常状態にある場合、映像再生手段３０８を省電力状態へ移行させ、映像再生手段３０８が既に省電力状態である場合、省電力状態を維持させる制御である。音声再生手段３０７の省電力制御についても同様である。
【００５２】
一方、ステップＳ５０３において、コンテンツの再生位置（時間）が映像の再生不要期間でない場合、映像再生手段３０８の通常電源制御を行い（ステップＳ５０６）、ステップＳ５０６で映像をデコードする。ここで、通常電力制御とは、映像再生手段３０８が映像を再生できる通常状態にある場合、映像を再生できる通常状態を維持させ、映像再生手段３０８が省電力状態である場合、省電力状態を解除して通常状態へ移行させる制御である。音声再生手段３０７の通常電力制御についても同様である。
【００５３】
また、ステップＳ５０４において、コンテンツの再生位置（時間）が音声の再生不要期間である場合、音声再生手段３０７の省電力制御を行い（ステップＳ５０８）、ステップＳ５１５へ移行する。
【００５４】
一方、ステップＳ５０４において、コンテンツの再生位置が音声の再生不要期間でない場合、音声再生手段３０７の通常電源制御を行い（ステップＳ５０７）、ステップＳ５１０で音声をデコードする。
【００５５】
次に、ステップＳ５１１において、映像と音声の同期処理を行う。例えば、映像再生手段３０８は、映像の再生時間情報とシステムクロックとの間で同期を取り、音声再生手段３０７は、音声の再生時間情報とシステムクロックとの間で同期を取る。このように、基準となるクロック等に対して、映像の同期、音声の同期を別々に行うことにより、映像と画像のいずれかがデコードされていない場合でも、同様に同期処理を継続することができる。
【００５６】
同期処理の後、映像再生手段３０８は映像を出力し（ステップＳ５１２）、音声再生手段３０７は音声を出力する（ステップＳ５１３）。また、作成手段３０３は、再生不要期間情報を蓄積（記録）する（ステップＳ５１４）。
【００５７】
また、コンテンツ再生装置２００は、コンテンツが終了か否かを判断し（ステップＳ５１５）、コンテンツが終了した場合は処理を終了し、コンテンツが終了していない場合はステップＳ５０２に戻って処理を繰り返す。
【００５８】
ここで、作成手段３０３によって記録される再生不要期間情報について説明する。作成手段３０３は、図５のステップＳ５１４において、音声信号の再生要否と、映像信号の再生要否をそれぞれ判断する。
【００５９】
作成手段３０３は、例えば、音声データ（バイナリ）が無音に相当するデータである場合、音声を再生不要と判断する。或いは、作成手段３０３は、音声データが存在しない場合、音声を再生不要と判断するものであっても良い。
【００６０】
また、作成手段３０３は、例えば、映像データ（バイナリ）が黒画面に相当するデータである場合、映像を再生不要と判断する。或いは、作成手段３０３は、映像データが存在しない場合、映像を再生不要と判断するものであっても良い。
【００６１】
図６は、第１の実施形態に係る再生不要期間を説明するための図である。図６において、時間ｔ１にコンテンツの再生を開始し、時間ｔ２において音声信号が「無音」になると、作成手段３０３は、その時間「３ｍ００ｓ（３分０秒）」を音声の再生不要期間の開始時間として記録する。同様に、時間ｔ３において、映像信号が「黒画面」になると、作成手段３０３は、その時間「５ｍ２０ｓ（５分２０秒）」を映像の再生不要期間の開始時間として記録する。
【００６２】
また、時間ｔ４において、音声信号が「無音」でなくなると、作成手段３０３は、その時間「７ｍ４０ｓ（７分４０秒）」を音声の再生不要期間の終了時間として記録する。次に時間ｔ５において、音声信号が「無音」になると、作成手段３０３は、その時間「９ｍ４０ｓ（９分４０秒）」を音声の次の再生不要期間の開始時間として記録する。
【００６３】
さらに、時間ｔ６において、映像信号が「黒画面」でなくなると、作成手段３０３は、その時間「１４ｍ２０ｓ（１４分２０秒）」を映像の再生不要期間の終了時間として記録する。同様に、時間ｔ７において、音声信号が「無音」でなくなると、作成手段３０３は、その時間「１６ｍ２０ｓ（１６分２０秒）」を音声の再生不要期間の終了時間として記録する。
【００６４】
例えば、上記処理により、再生不要期間情報は、音声の再生不要期間として「３ｍ００ｓ〜７ｍ４０ｓ」と「９ｍ４０ｓ〜１６ｍ２０ｓ」、また映像の再生不要期間として「５ｍ２０ｓ〜１４ｍ２０ｓ」等の情報として記憶手段３０４に記憶される。
【００６５】
以上、本実施形態に係るコンテンツ再生装置２００は、初回のコンテンツ再生時に再生不要期間情報を作成し、２回目以降の再生時には、再生不要期間情報に基づいて省電力制御を行うことが可能となる。
【００６６】
尚、上記、音声の「無音」、映像の「黒画面」等は、本実施形態に係る再生不要期間の一例であって、本発明の範囲を限定するものではない。例えば、作成手段３０３は、音声のレベルが所定の値未満の場合に音声を再生不要と判断するもの等であっても良い。
【００６７】
また、作成手段３０３、静止画を連続表示している場合に映像のデコード不要期間（再生不要期間）と判断し、電力制御手段３０２は、デコード不要期間に映像デコーダ２０５（映像再生手段）を省電力状態に移行させるもの等であっても良い。
【００６８】
［第２の実施形態］
＜機能構成＞
（コンテンツ再生装置の機能構成）
図７は、第２の実施形態に係るコンテンツ再生システムの機能構成図である。本実施形態に係るコンテンツ再生装置２００は、第１の実施形態の構成に加えて、目的情報設定手段７０１、位置情報取得手段７０２、表示言語取得手段７０３、音量情報取得手段７０４等を有する。尚、他の構成は、図３に示した第１の実施形態と同様なので、ここでは差分を中心に説明する。
【００６９】
目的情報設定手段７０１は、再生するコンテンツの利用目的（再生目的）を示す情報を設定する。目的情報設定手段７０１は、例えば、ディスプレイ等に再生目的の入力画面を表示させること等によりユーザに目的情報の入力を促し、タッチパネルや、キーボード等により入力された情報に基づいて再生目的を示す再生目的情報を設定する。
【００７０】
位置情報取得手段７０２は、例えば、コンテンツ再生時等のコンテンツ再生装置２００の位置を示す位置情報を取得する。位置情報取得手段７０２は、例えば、ＧＰＳ（Global Positioning System）、ＩＭＥＳ（Indoor Messaging System）等の位置情報システムにより、コンテンツ再生時等のコンテンツ再生装置２００の現在位置を示す位置情報を取得する。
【００７１】
尚、ＩＭＥＳは、ＧＰＳ衛星からの電波が届きにくい屋内においても、位置情報の取得を可能にする位置情報システムである。ＧＰＳでは経度、緯度の情報しか取得することができないが、ＩＭＥＳを利用することにより、高さ（フロア情報）も取得できるため、例えば、会議室の特定等にも利用することができる。尚、ＧＰＳ、ＩＭＥＳは、位置情報システムの一例であり、位置情報取得手段７０２は、例えば、無線ＬＡＮや無線タグ等を用いた位置情報システムにより位置情報を取得するものであっても良い。
【００７２】
表示言語取得手段７０３は、コンテンツ再生時の表示言語の設定を示す表示言語情報を取得する。表示言語取得手段７０３は、例えば、コンテンツの再生前又は再生中に、コンテンツ再生装置２００の表示言語の設定が変更された場合、変更された表示言語の設定を取得する。また、コンテンツ再生装置２００は表示言語の既定の設定（例えば日本語）を有し、表示言語取得手段７０３は、ユーザから特に指定がない場合、表示言語の既定の設定を用いるものであっても良い。
【００７３】
音量情報取得手段７０４は、再生手段３０１が出力する音声データ又は音声信号の音量情報を取得する。また、作成手段３０３は、音量情報取得手段７０４が取得した音量情報に基づいて、「音量による再生不要期間」情報を作成する。具体的な一例として、音量情報取得手段７０４は、コンテンツ再生装置２００の音声が「ミュート」されたことを検出し、作成手段３０３は、「ミュート」された期間を再生不要期間に設定する。また、別の一例として、音量情報取得手段７０４は、コンテンツ再生装置２００の音声が所定の音量よりも小さく設定されたことを検出し、作成手段３０３は、所定の音量よりも小さく設定された期間を再生不要期間に設定するもの等であっても良い。
【００７４】
（外部装置の機能構成）
図７の外部装置２１９は、例えば、コンテンツ再生装置２００にネットワークを介して接続されたサーバ等、一般的なコンピュータの構成を有する情報処理装置等である。外部装置２１９は、例えば、通信手段７０５、記憶手段７０６、決定手段７０７等を有する。
【００７５】
通信手段７０５は、例えば、ネットワーク等を介してコンテンツ再生装置２００と接続し、データの送受信を行う。
【００７６】
記憶手段７０６は、コンテンツ再生装置２００から受信した利用目的情報、位置情報、表示言語情報、再生不要期間情報、及びこれらの情報を含む再生履歴情報２１７等を再生履歴情報７０９として記憶する。
【００７７】
決定手段７０７は、コンテンツ再生装置２００からの再生履歴情報の取得要求に応じて、コンテンツ再生装置２００に送信する再生履歴情報又は再生不要期間情報を、記憶手段７０６に記憶した再生履歴情報７０９の中から決定する。尚、送信する再生履歴情報の決定方法については後述する。
【００７８】
＜処理の流れ＞
図８は、第２の実施形態に係るコンテンツ再生システムの処理の一例を示すフローチャートである。
【００７９】
ステップＳ８０１において、コンテンツ再生装置２００は、例えば、ユーザのコンテンツ再生操作、電源投入操作等に応じて、位置情報取得手段７０２により、現在の位置情報を取得する。
【００８０】
ステップＳ８０２において、コンテンツ再生装置２００は、目的情報設定手段７０１によりディスプレイに再生目的の入力画面を表示させること等によりユーザに再生目的の入力を促し、入力された情報に基づいて再生目的情報を設定する。
【００８１】
ステップＳ８０３において、コンテンツ再生装置２００は、表示言語取得手段７０３により、再生中のコンテンツの表示言語情報を取得する。
【００８２】
ステップＳ８０４において、コンテンツ再生装置２００は、取得した目的情報、位置情報、表示言語情報等を再生前情報として、通信手段３０６により、外部装置２１９に送信する。
【００８３】
ステップＳ８０５において、コンテンツ再生装置２００の電力制御手段３０２は、再生手段３０１等、コンテンツの再生に必要なブロックに電力を供給する。
【００８４】
ステップＳ８０６において、コンテンツ再生装置２００は再生するコンテンツデータを入力する。例えば、コンテンツ再生装置２００は、通信手段３０６により、外部装置２１９から再生するコンテンツデータを取得し、記憶手段３０４等に記憶する。
【００８５】
ステップＳ８０７において、コンテンツ再生装置２００の再生手段３０１は、コンテンツの再生処理を行う。例えば、再生手段３０１は、外部装置２１９から取得し、記憶手段３０４に記憶されたコンテンツデータに基づいて、音声及び映像の再生を行う。また、このとき、コンテンツ再生装置２００の作成手段３０３は、再生不要期間情報を作成する。また、本実施形態では、作成手段３０３は、音量情報取得手段７０４が取得した音量情報に基づいて、「音量による再生不要期間情報」を作成する。例えば、作成手段３０３は、音声がミュートされている期間等を音量による再生不要期間して、「音量による再生不要期間情報」を作成する。
【００８６】
ステップＳ８０８において、コンテンツ再生装置２００は、通信手段３０６等により、作成手段３０３が作成した再生不要期間情報を含む再生履歴情報を外部装置２１９に送信する。このとき、外部装置２１９に送信される再生不要期間情報は、例えば、音量による再生不要期間情報も含む。
【００８７】
ステップＳ８０９において、外部装置２１９は、コンテンツ再生装置２００から受信した再生履歴情報に基づいて、記憶手段７０６に記憶した再生履歴情報７０９を更新する。或いは、外部装置２１９は、コンテンツ再生装置２００から受信した再生履歴情報を記憶手段に再生履歴情報７０９として新たに記憶する。
【００８８】
図９は、第２の実施形態に係る外部装置に記憶される再生履歴情報の例を示す図である。外部装置２１９が記憶する再生履歴情報７０９は、ファイル名９０１、再生利用目的９０２、位置情報９０３、表示文字言語９０４、音量による再生不要期間９０５、再生不要期間９０６等の情報を含む。
【００８９】
ファイル名９０１は、コンテンツのファイル名を示す情報である。再生利用目的９０２は、コンテンツが再生されたときにユーザ等によって設定された再生利用目的を示す情報である。位置情報９０３は、コンテンツ再生装置２００の位置を示す情報である。表示文字言語９０４は、例えば、字幕など、表示する文字情報の言語を示す情報である。
【００９０】
音声による再生不要期間９０５は、例えば、ファイルが、特定の場所でミュート（消音）されていた場合等、再生時の音量に応じて設定された再生不要期間を示す情報である。
再生不要期間９０６は、第１の実施形態で説明した、例えば、音声の「無音」状態、及び映像の「黒画面」等、再生不要と判断される期間を示す情報である。
【００９１】
本実施の形態では、再生利用目的９０２として、「社内会議」、「デモ（デモンストレーション）」、「プライベート」の３つの目的を想定しており、決定手段７０７は、この再生利用目的９０２と、図８のステップＳ８０４で送信された再生前情報とに応じて、コンテンツ再生装置２００に送信する再生不要期間情報を決定する。
【００９２】
例えば、再生利用目的９０２が「社内会議」の場合、決定手段７０７は、受信した再生前情報と、位置情報９０３及び表示文字言語９０４が一致する再生履歴情報の再生不要期間９０６及び音量による再生不要期間９０５を送信する再生不要期間情報として決定する。尚、音量による再生不要期間９０５の情報がない場合は、決定手段７０７は、再生不要期間９０６を送信する再生不要期間情報として決定する。また、受信した再生前情報と、位置情報９０３及び表示文字言語９０４が一致する再生履歴情報がないときは、例えば、再生不要期間情報の送信を行わずに、新たな位置情報、表示言語情報における再生履歴情報を蓄積する。
【００９３】
このように、再生利用目的９０２が「社内会議」の場合、同一のコンテンツが複数の利用者や、複数の会議室で利用される可能性があるため、位置情報９０３や、表示文字言語９０４等に応じて複数の再生履歴情報７０９を用いることが望ましい。
【００９４】
また、例えば、再生利用目的９０２が「デモ」の場合、決定手段７０７は、受信した再生前情報に関わらずファイル名９０１が一致する再生不要期間９０６を送信する再生不要期間情報として決定する。また、音量による再生不要期間９０５がある場合は、決定手段７０７は、音量による再生不要期間９０５も送信する再生不要期間情報として決定する。尚、ファイル名が一致する複数の再生履歴情報があり、かつ音量による再生不要期間９０５を含むものと、含まないものがある場合、音量による再生不要期間９０５を送信する再生不要期間情報に含めない。
【００９５】
さらに、例えば、再生利用目的９０２が「プライベート」の場合、決定手段７０７は、受信した再生前情報に関わらずファイル名９０１が一致する再生不要期間９０６を送信する再生不要期間情報として決定する。尚、再生利用目的９０２が「プライベート」の場合、決定手段７０７は、音量による再生不要期間９０５を、再生不要期間情報に含めない。
【００９６】
尚、上記再生利用目的９０２による決定動作は一例であり、決定手段７０７は、例えば、コンテンツ再生装置２００から送信されたポリシー等に基づいて、送信する再生履歴情報を決定するもの等であっても良い。
【００９７】
また、図７において、コンテンツ再生装置２００は、目的情報設定手段７０１、位置情報取得手段７０２、表示言語取得手段７０３、及び音量情報取得手段７０４のうち少なくとも一つを有しているものであっても良い。
【００９８】
例えば、コンテンツ再生装置２００は、図３に示した第１の実施形態の機能構成に加えて、図７の目的情報設定手段７０１を有しているものであっても良い。この場合、コンテンツ再生システム３００は、第１の実施形態に加えて、再生目的に応じて再生手段３０１の電力制御を行うことが可能となる。
【００９９】
同様に、コンテンツ再生装置２００は、図３に示した第１の実施形態の機能構成に加えて、図７の位置情報取得手段７０２を有しているものであっても良い。この場合、コンテンツ再生システム３００は、第１の実施形態に加えて、位置情報に応じて再生手段３０１の電力制御を行うことが可能となる。例えば、所定の会議室では音声を再生するが、所定の会議室以外では、例えば、機密保持のため音声の再生を行わない等の制御が可能となる。
【０１００】
さらに、コンテンツ再生装置２００は、図３に示した第１の実施形態の機能構成に加えて、図７の音量情報取得手段７０４を有しているものであっても良い。この場合、コンテンツ再生システム３００は、第１の実施形態に加えて、音量に応じて再生手段３０１の電力制御を行うことが可能となる。例えば、コンテンツが音声信号を含んでいてもミュート（消音）された状態で再生された期間がある場合、ミュートされた期間を次回の再生不要期間情報とすることにより、音声再生手段３０７の省電力化に寄与する。
【０１０１】
さらにまた、コンテンツ再生装置２００は、図３に示した第１の実施形態の機能構成に加えて、図７の表示言語取得手段７０３を有しているものであっても良い。この場合、コンテンツ再生システム３００は、第１の実施形態に加えて、表示言語に応じて再生手段３０１の電力制御を行うことが可能となる。例えば、コンテンツに含まれる音声が外国語であり、表示言語が日本語で、かつ音声がミュートされて再生された場合、次回の再生時にも音声の再生が不要と判断することができる。
【０１０２】
尚、上記構成はあくまで一例であり、本発明の範囲を限定するものではない。例えば、外部装置２１９が有するコンテンツ７０８、再生履歴情報７０９等は、コンテンツ再生装置２００が記憶していても良い。また、決定手段７０７は、コンテンツ再生装置２００が有していても良い。
＜まとめ＞
本実施形態に係るコンテンツ再生装置（２００）は、音声及び映像を含むコンテンツを再生する再生手段（３０１）と、再生するコンテンツの再生位置とに基づいて再生手段（３０１）の電力を制御する電力制御手段（３０２）と、を有する。
【０１０３】
これにより、音声及び映像を含むコンテンツを再生するコンテンツ再生装置（２００）において、コンテンツの内容に応じて、適応的に省電力制御を行うことを容易にするコンテンツ再生装置（２００）を提供することができる。
【０１０４】
尚、上記括弧内の参照符号、及び名称は、理解を容易にするために付したものであり、あくまで一例であって、本発明の範囲を限定するためのものではない。
【符号の説明】
【０１０５】
２００    コンテンツ再生装置
３００    コンテンツ再生システム
３０１    再生手段
３０２    電力制御手段
３０３    作成手段
３０４    記憶手段
３０５    取得手段
３０６    通信手段
３０７    音声再生手段
３０８    映像再生手段
３０９    外部装置
７０７    決定手段
【先行技術文献】
【特許文献】
【０１０６】
【特許文献１】特開２００９−０２７４５８号公報
【図１】
0006451098.tif 000002
【図２】
0006451098.tif 000003
【図３】
0006451098.tif 000004
【図４】
0006451098.tif 000005
【図５】
0006451098.tif 000006
【図６】
0006451098.tif 000007
【図７】
0006451098.tif 000008
【図８】
0006451098.tif 000009
【図９】
0006451098.tif 000010